(57)【要約】【課題】簡単な構成で、所望の照明対象である物品を目立たせ、他の物品と区別しやすくする照明器具を提供する。【解決手段】陳列状態の照明対象である商品６６の外周６８よりも大きな内周寸法を有しており、前記商品６６の外周６８を囲むフレーム１２と、該フレーム１２の内周面に沿って設けられた複数のＬＥＤ３６と、該複数のＬＥＤ３６と電源５０を接続する接続手段と、によって照明器具１０を構成する。前記ＬＥＤ３６は、電極パターンが形成された基板３２と透明体３８に挟まれてユニット化されており、ユニット化された光源リボン３０が、前記フレーム１２の側面内側１６ａ〜１６ｄに取り付けられる。前記フレーム１２で前記商品６６の外周６８を囲むように、前記照明器具１０を商品６６の外側に配置すると、所望の商品６６を照らして、他の商品７６よりも目立たせる。【選択図】図１
2017091900.tif 000002
【特許請求の範囲】
【請求項１】
陳列状態の照明対象の物品の周囲を囲むフレームと、
該フレームの内周面に沿って配置された複数の光源と、
該複数の光源に電力を供給する電源に、該複数の光源を接続する接続手段と、
を備えたことを特徴とする照明器具。
【請求項２】
所定幅を有する基板と、
該基板上に形成されており、前記光源の電極と接続する電極パターンと、
前記基板との間に前記光源及び前記電極パターンを挟む透明体と、
によって、
前記フレームの内周面に設ける光源ユニットが形成されるとともに、
前記フレームの内周面に、
前記光源ユニットを支持する支持部を設けたことを特徴とする請求項１記載の照明器具。
【請求項３】
前記透明体が、透明の樹脂であることを特徴とする請求項２記載の照明器具。
【請求項４】
前記基板及び透明体が、フレキシブルであることを特徴とする請求項３記載の照明器具。
【請求項５】
前記電源から前記光源への通電を制御する制御手段、
を設けたことを特徴とする請求項１〜４のいずれか一項に記載の照明器具。
【請求項６】
前記フレームの側面に、該側面から外側に突出する延設片を設けたことを特徴とする請求項１〜５のいずれか一項に記載の照明器具。
【請求項７】
前記照明対象の物品が、販売される商品であることを特徴とする請求項１〜６のいずれか一項に記載の照明器具。
【発明の詳細な説明】
【技術分野】
【０００１】
本発明は、照明器具に関し、更に具体的には、陳列された商品等を証明するための照明器具に関するものである。
【背景技術】
【０００２】
コンビニエンスストア等で販売されている商品のうち、フック等に掛けて陳列されているものがある。下記特許文献１に記載の取付金具には、商品陳列用の商品掛け具本体が鉄製線材のフック本体とフック先端部からなり、前記フック先端部に蓄光塗料、残光塗料、蛍光塗料を塗布又は含有したことが開示されている。このようにフック先端部を光らせることにより、暗い場所でもフック先端部が視認しやすく、人体との接触によるけが等を考慮した安全に配慮した構成となっている。
【０００３】
また、例えば、下記特許文献２には、カタログやパンフレット等の配布媒体を種別ごとに区画して収納する複数の収納部と、文字情報あるいは動画や静止画を表示する電光掲示板と、当該電光掲示板にて表示する情報信号を受信するページャ受信部とを備えた構成の表示器付広告ラックが開示されている。このような構成とすることにより、前記電光表示板の表示内容が対応する配布媒体を収納部を、ＬＥＤを点滅して他の収納部よりも強調してアピールすることで、容易に判別が可能となっている。
【先行技術文献】
【特許文献】
【０００４】
【特許文献１】特開２００７−３７９２９号公報
【特許文献２】特開２００２−２７８４８７号公報
【発明の概要】
【発明が解決しようとする課題】
【０００５】
しかしながら、前記特許文献１に記載の技術は、フック本体の先端が光るものの、そこに掛けられた商品自体を目立たせることを目的としたものではなく、実際に特定の商品（例えば、特売品等）を目立たせる効果はない。また、前記特許文献２に記載の技術では、特定の収納部を強調してアピールすることができ、判別が容易になるものの、複数の収納部の全てにＬＥＤを設けたり、その点灯を切り替えたりするなど、構成が大掛かりになってしまう。
【０００６】
本発明は、以上のような点に着目したもので、簡単な構成で、所望の照明対象の物品を目立たせ、他の物品と区別しやすくする照明器具を提供することを、その目的とする。
【課題を解決するための手段】
【０００７】
本発明の照明器具は、陳列状態の照明対象の物品の周囲を囲むフレームと、該フレームの内周面に沿って配置された複数の光源と、該複数の光源に電力を供給する電源に、該複数の光源を接続する接続手段と、を備えたことを特徴とする。
【０００８】
主要な形態の一つは、所定幅を有する基板と、該基板上に形成されており、前記光源の電極と接続する電極パターンと、前記基板との間に前記光源及び前記電極パターンを挟む透明体と、によって、前記フレームの内周面に設ける光源ユニットが形成されるとともに、前記フレームの内周面に、前記光源ユニットを支持する支持部を設けたことを特徴とする。他の形態の一つは、前記透明体が、透明の樹脂であることを特徴とする。更に他の形態の一つは、前記基板及び透明体が、フレキシブルであることを特徴とする。
【０００９】
更に他の形態の一つは、前記電源から前記光源への通電を制御する制御手段、を設けたことを特徴とする。更に他の形態の一つは、前記フレームの側面に、該側面から外側に突出する延設片を設けたことを特徴とする。更に他の形態の一つは、前記照明対象の物品が、販売される商品であることを特徴とする。本発明の前記及び他の目的，特徴，利点は、以下の詳細な説明及び添付図面から明瞭になろう。
【発明の効果】
【００１０】
本発明によれば、陳列状態の照明対象の周囲を囲むフレームと、該フレームの内周面に沿って配置された複数の光源と、該複数の光源に電力を供給する電源に、該複数の光源を接続する接続手段と、によって照明器具を構成することとした。このため、前記照明器具のフレームで前記物品の外周を囲むように、前記照明器具を配置するだけで、容易に所望の特定の物品だけを照らして目立たせることができる。
【図面の簡単な説明】
【００１１】
【図１】本発明の実施例１の照明器具の使用状態を示す図であり、(A)は斜視図，(B)は前記(A)を矢印Ｆ１方向から見た側面図である。
【図２】前記実施例１を示す図であり、(A)は照明器具の裏面側を示す図，(B)は光源リボンの構造を示す図である。
【図３】本発明の他の実施例を示す図である。
【発明を実施するための形態】
【００１２】
以下、本発明を実施するための最良の形態を、実施例に基づいて詳細に説明する。
【実施例１】
【００１３】
最初に、図１及び図２を参照しながら本発明の実施例１を説明する。図１は、本実施例の照明器具の使用状態を示す図であり、(A)は外観斜視図，(B)は前記(A)を矢印Ｆ１方向から見た側面図である。図２(A)は、本実施例の照明器具の裏面側の構造を示す図であり、図２(B)は光源リボンの構造を示す図である。図１(A)及び図２(A)に示すように、本実施例の照明器具１０は、略長方形のフレーム１２と、該フレーム１２の側面内側に沿って設けられた複数の光源（ＬＥＤ３６）と、これら複数の光源に電力を供給する電源と前記光源を接続する接続手段と、により構成されている。
【００１４】
前記フレーム１２は、本実施例では、正面１４が所定幅を有する略長方形の枠状であって、側面１６Ａ〜１６Ｄを備えている。前記正面１４の内周縁１４Ａは、図１(A)に示すようにフック６４に掛けて陳列された商品６６の外周６８よりも大きな内周寸法を有している。すなわち、フック６４に掛けられた商品６６の外側を囲むように前記照明器具１０を配置したときに、該照明器具１０のフレーム１２の内側から前記商品６６を取り出すことができるようになっている。なお、前記フック６４は、図１(B)に示すように、商品の陳列棚６０の背面６２に一端側が固定されており、自由端側から、前記商品６６のパッケージ等に形成された穴７０を通すことで、商品６６を陳列するものである。このようなフック吊り下げ式の陳列方法は公知である。本実施例では、前記陳列棚６０の背面６２であって、前記フック６４の上方に他のフック７２Ａ，７２Ｂの一端側を固定し、これらの自由端側に、前記フレーム１２の内周縁１４Ａの上縁を掛けることで、前記商品６６の外側に配置する。また、前記陳列棚６０には、図１(A)に示すように、他の商品７６等も陳列されている。
【００１５】
また、本実施例では、前記フレーム１２の上側の側面１６Ａに、断面略Ｌ字状の延設片２０が設けられている。該延設片２０は、前記側面１６Ａに平行な第１の面部２０Ａと、前記側面１６Ａに直交する第２の面部２０Ｂを有している。本実施例では、図１(B)に示すように、前記第１の面部２０Ａは、その先端が、前記フレーム１２の正面１４から突出するように、前記上側の側面１６Ａに図示しない接着剤等で貼り付けられている。そして、前記第２の面部２０Ｂには、例えば、図１(A)に点線で示すように、販促用のＰＯＰ２２等を設けるようにしてもよいし、前記フック７４Ａ，７４Ｂを通すための通し穴を設けて設置用に使用してもよい。
【００１６】
以上のようなフレーム１２及び延設片２０は、例えば、紙やプラスチックなどの公知の材料により形成されている。更に、前記フレーム１２の上方（図示の例では、側面１６Ｄの上方）には、リード線４４，４６を通す穴４８が形成されている。該リード線４４，４６の一端側は、例えば、１２Ｖの電圧を供給するＡＣ電源５０に接続されている。
【００１７】
前記フレーム１２の側面内側１６ａ〜１６ｄには、図２(A)に示すように、中心に向けて発光する，すなわち、前記商品６６の周囲にフレーム１２を配置したときに、前記商品６６の外周６８に向けて発光する複数の光源が設けられている。本実施例では、図２(A)に示すように、前記フレーム１２の側面内側１６ａ〜１６ｄの合計長さと同等の長さを有する光源リボン３０を取り付けている。前記光源リボン３０は、図２(B)に示すように、所定の幅の基板３２の上に、光源であるＬＥＤ３６の両電極にそれぞれ接続する電極パターン３４Ａ，３４Ｂが適宜設けられている。そして、前記電極パターン３４Ａ，３４Ｂに、電極が接続するように複数のＬＥＤ３６を配置し、その上から、透明体３８を重ねた積層構造となっている。
【００１８】
本実施例では、前記基板３２としては公知のフレキシブル基板を用い、前記透明体３８としては、同じく公知のフレキシブルな透明樹脂を用いている。そして、前記フレーム１２の側面内側１６ａ，１６ｄに設けた受部（接続用端子）４０，４２に、前記光源リボン３０の両端を差し込むことで、前記側面内側１６ａ〜１６ｄに沿って、光源リボン３０がセットされる。なお、必要に応じて、前記光源リボン３０の基板３２を、前記側面内側１６ａ〜１６ｄに接着剤等で固定してもよい。
【００１９】
以上のような構成の照明器具１０は、図１(A)及び(B)に示すように、陳列棚６０のフック６４に掛けられた商品６６の手前側にくるように、前記他のフック７２Ａ，７２Ｂに掛ける。これにより、前記商品６６を外側から照らし、他の商品７６よりも目立たせることができる。また、必要に応じて、前記照明器具１０を掛ける場所を変えることで、状況等に応じて、目立たせる商品を任意に変えることができる。
【００２０】
このように、実施例１によれば、陳列状態にした照明対象の商品６６の外側を囲むフレーム１２と、該フレーム１２の内周面に沿って設けられており、前記商品６６の外周６８に向けて発光するように配置された複数のＬＥＤ３６と、該複数のＬＥＤ３６と電源５０を接続する接続手段と、によって照明器具１０を構成することとした。このための次のような効果がある。
(1)前記フレーム１２で前記商品６６の外周６８を囲むように、前記照明器具１０を商品６６の外側に配置するだけで、簡単な構成でありながら、容易に所望の特定の商品６６だけを目立たせることができる。
【００２１】
(2)前記照明器具１０を配置する場所を変えるだけで、注目させたい商品を容易に変えることができる。例えば、日替わりで特売品を表示する場合などに好適である。
(3)前記フレーム１２の上側の側面１６Ａに、該側面１６Ａと平行な第１の面部２０Ａと、前記側面１６Ａに対して直交する第２の面部２０Ｂからなる断面略Ｌ字状の延設片２０を設けることとした。このため、前記第１の面部２０ＡにＰＯＰ２２などの販促表示を設けることも可能となり、いっそう特定の商品６６と他の商品が区別しやくなる。
(4)基板３２及び透明体３８としてフレキシブルな素材を用いることとしたので、一枚の帯状の光源リボン３０のみで、フレーム１２の側面内側１６ａ〜１６ｄに沿って容易に取り付け可能である。
【００２２】
なお、本発明は、上述した実施例に限定されるものではなく、本発明の要旨を逸脱しない範囲内において種々変更を加え得ることができる。例えば、以下のものも含まれる。
(1)前記実施例に示した形状，寸法は一例であり、必要に応じて適宜変更してよい。例えば、前記実施例では、外形が長方形の商品６６の周囲を、内周縁１４Ａが長方形のフレーム１２で囲むこととしたが、これも一例であり、商品６６やそのパッケージの外形形状と、フレーム１２の内周縁の形状は必ずしも同じである必要はなく、フレーム１２の内側から商品６６を取り出すことができればよい。
(2)前記実施例では、前記フレーム１２の素材として紙やプラスチックを挙げたが、これも一例であり、例えば、木材等や他の公知の各種の素材を用いることを妨げるものではない。
【００２３】
(3)前記実施例では、延設片２０を設けることとしたが、これも一例であり、必要に応じて設ければよい。また、延設片２０には、図３(A)に示すように、販促用のＰＯＰ２２を設けるようにしてもよいし、前記フック７２Ａ，７２Ｂを通すための穴などを形成してもよい。更に、前記実施例では、前記延設片２０を、フレーム１２の上側の側面１６Ａにのみ設けることとしたが、これも一例であり、フレーム１２の側面１６Ａ〜１６Ｄの全周に設けるようにしてもよいし、任意の一か所ないし数か所に設けるようにしてもよい。また、延設片は、側面１６Ａ〜１６Ｄに対して平行又は直交する必要はなく、傾斜していてもよい。
【００２４】
(4)前記実施例で示した光源リボン３０の構成も一例であり、同様の効果を奏する範囲内で適宜設計変更してよい。また、光源として設けるＬＥＤ３６は、単色のみならず、複数の色のＬＥＤを用いてもよいし、複数の色に変化するＬＥＤを用いてもよい。例えば、図３(A)に示す照明器具８０のように、前記リード線４４，４６から直接ＡＣ電源５０に接続せずに、制御基盤８４を備えたコントローラ８２を介して、ＡＣ電源５０に接続するようにしてもよい。そして、前記コントローラ８２により、前記ＬＥＤ３６の点灯のＯＮ／ＯＦＦの切り替え，点灯と点滅の切り替え，タイマーを利用した点灯・点滅時間の管理，発光色の変化等を制御するようにしてもよい。また、前記コントローラ８２をリモコン８６で操作するようにしてもよい。また、このような点灯形式や色の変化を、商品やターゲットとする購入者層に応じて変えるようにしてもよい。
【００２５】
(5)前記実施例では、光源としてＬＥＤ３６を用いることとしたが、他の公知の各種の光源を用いることを妨げるものではない。また、光源の数は、フレーム１２の形状や寸法に応じて適宜変更してよい。
(6)前記実施例では、フック６４に掛けた商品６６を外側から照らすように、照明器具１０を他のフック７２Ａ，７２Ｂに掛けて吊り下げることとしたが、これも一例であり、例えば、図３(B)に示すように、陳列棚９０に平置きにされた商品９２の周囲をフレーム１２が囲むように、前記照明器具１０を配置してもよい。
(7)前記実施例では、商用Ａ／Ｃ電源を用いることとしたが、これも一例であり、フレームの内側に電池を設けてコードレス仕様にしてもよい。
【００２６】
(8)前記実施例では、フック６４に掛けた商品６６の手前側になるように、前記照明器具１０を、他のフック７２Ａ，７２Ｂを利用して吊り下げることとしたが、これも一例であり、図３(C)に示すように、陳列棚６０の背面６２側に照明器具１０を設け、その手前に商品６６を吊り下げることで、商品６６を後方かつ周囲から照らし、目立たせることができる。
(9)前記実施例では、販売対象の商品を照明することを前提に説明を行ったが、本発明の照明器具で照明するものは、商品に限らず、展示品や販促品であってもよい。また、同時に複数の物品を、一つの照明装置又は複数の照明器具を用いて目立たせるようにしてもよい。また照明対象は、厚みの薄いもののみならず、厚みが厚いものであってもよい。
(10)前記実施例で示した光源リボン３０の代わりに面発光の光源を用いてもよい。例えば、
ａ，フレーム１２の形状とした導光板の側面から、発光ダイオード（LED）の光を照射して導光板全体が光るようにする。
ｂ，面発光シートをフレーム１２の形状とする。
ｃ，ネオン管をフレーム１２の形状とする。
といった具合である。これら面発光光源も、結果的に複数の光源を配置したものと考えることができる。また、面発光光源が、光源リボン３０のみならずフレーム１２を兼用するような構成としてもよい。
(11)前記実施例では、フレーム１２を枠形状として商品６６の周囲の全体を囲んだが、略コ字状や馬蹄形状のように、一部に開口を有するフレーム形状であってもよい。
【産業上の利用可能性】
【００２７】
本発明によれば、陳列状態の照明対象の物品の周囲を囲むフレームと、該フレームの内周面に沿って配置された複数の光源と、該複数の光源に電力を供給する電源に、該複数の光源を接続する接続手段と、によって照明器具を構成することとした。これにより、前記照明器具のフレームで前記物品の外周を囲むように、前記照明器具を配置するだけで、容易に所望の特定の物品だけを目立たせることができるため、陳列した物品等の照明器具の用途に適用できる。特に、コンビニエンスストア等で特定の商品を目立たせるための照明器具の用途に好適である。
【符号の説明】
【００２８】
１０：照明器具
１２：フレーム
１４：正面
１４Ａ：内周縁
１６Ａ〜１６Ｄ：側面
１６ａ〜１６ｄ：側面内側
１８：裏面
２０：延設片
２０Ａ：第１の面部
２０Ｂ：第２の面部
２２：ＰＯＰ
３０：光源リボン
３２：基板
３４Ａ，３４Ｂ：電極パターン
３６：ＬＥＤ
３８：透明体
４０，４２：受部
４４，４６：リード線
４８：穴
５０：ＡＣ電源
６０：陳列棚
６２：背面
６４，７４：フック
６６，７６：商品
６８：外周
７０：穴
７２Ａ，７２Ｂ：フック
８０：照明器具
８２：コントローラ
８４：制御基盤
８６：リモコン
９０：陳列棚
９２：商品
【図１】
2017091900.tif 000003
【図２】
2017091900.tif 000004
【図３】
2017091900.tif 000005